(57)【要約】      （修正有）【課題】顎全体への被覆をフィットさせることが可能な顔用マスクを提供する。【解決手段】顔を覆う顔被覆部１０と、顔被覆部１０と一体に形成され、顔被覆部１０の顎部で接続される略帯状の顎被覆部２０と、を有する。顔被覆部１０は、眼部切れ込み１１と、鼻部切れ込み１２と、口部開口１３と、楔状切れ込み１４と、第１耳かけ部１５と、を有する。顎被覆部２０は、第２耳かけ部２１、を有する。第２耳かけ部２１は、顔被覆部１０の顎部と顎被覆部２０との接続位置より下方向に位置する。【選択図】図１
0003188310.tif 000002
【実用新案登録請求の範囲】
【請求項１】
顔を覆う顔被覆部と、
前記顔被覆部と一体に形成され、前記顔被覆部の顎部で接続される略帯状の顎被覆部と、を有し、
前記顔被覆部は、
両眼部の各々に位置し、下方向に凸の略弓状切れ込みと、前記略弓状切れ込みの両端のうち耳に近いほうに設けられ当該耳の方向から前記略弓状切れ込みに通じる第１横切れ込みと、を有する眼部切れ込みと、
両鼻孔部に位置する第２横切れ込みと、前記第２横切れ込みの両端に設けられ上方向から前記第２横切れ込みに通じる縦切れ込みと、を有する鼻部切れ込みと、
口部に位置し、長軸が唇に対し略平行の略楕円の口部開口と、
略楔状の切れ込みであって、前記略楔状の尖端が前記顔被覆部の中方向に向き、前記顔被覆部の周の、額部の両端部近傍と、両顎部近傍とに位置するように設けられた楔状切れ込みと、
前記顔被覆部の周の各両耳近傍に設けられた突出部と、当該突出部に設けられた第１耳部開口と、を有する第１耳かけ部と、を有し、
前記顎被覆部は、
長手方向の両端近傍に、第２耳部開口を有する第２耳かけ部、を有し、
前記第２耳かけ部は、前記顔被覆部の顎部と前記顎被覆部との接続位置より下方向に位置すること
を特徴とするシート状の顔用マスク。
【考案の詳細な説明】
【技術分野】
【０００１】
本考案は、顔用マスクに関するものである。
【背景技術】
【０００２】
特許文献１には、不織布にて形成した平板状のシート片を少なくとも２枚積層してこの積層部の一側を接続するとともに、鼻部の突出形状に対応して一部を外方に突出させた鼻被覆部を形成し、この鼻被覆部の両側に使用者の顔表面を被覆する顔被覆部を形成し、マスク使用時には、シート片を拡開することにより、鼻被覆部をシート片の一面に突出し、使用者の鼻部を被覆可能な立体的形状とすることを特徴とする化粧料を含浸させて使用する化粧料含浸マスクが記載されている。
【先行技術文献】
【特許文献】
【０００３】
【特許文献１】特開2010-51376号公報
【考案の概要】
【考案が解決しようとする課題】
【０００４】
特許文献１に記載の技術は、顎部を被覆することが可能である。しかし、文献１に記載の技術は、口の下近傍だけでなく、口の下近傍から耳にかけた顎全体への被覆をフィットさせることができない。
【０００５】
本考案はこのような事情に鑑みてなされたもので、顎全体への被覆をフィットさせることが可能な顔用マスクの提供を目的とする。
【課題を解決するための手段】
【０００６】
上記課題を解決するために、例えば実用新案請求の範囲に記載の構成を採用する。本願は、上記課題を解決するための手段を複数含んでいるが、その一例を挙げるならば、顔を覆う顔被覆部と、前記顔被覆部と一体に形成され、前記顔被覆部の顎部で接続される略帯状の顎被覆部と、を有し、前記顔被覆部は、両眼部の各々に位置し、下方向に凸の略弓状切れ込みと、前記略弓状切れ込みの両端のうち耳に近いほうに設けられ当該耳の方向から前記略弓状切れ込みに通じる第１横切れ込みと、を有する眼部切れ込みと、両鼻孔部に位置する第２横切れ込みと、前記第２横切れ込みの両端に設けられ上方向から前記第２横切れ込みに通じる縦切れ込みと、を有する鼻部切れ込みと、口部に位置し、長軸が唇に対し略平行の略楕円の口部開口と、略楔状の切れ込みであって、前記略楔状の尖端が前記顔被覆部の中方向に向き、前記顔被覆部の周の、額部の両端部近傍と、両顎部近傍とに位置するように設けられた楔状切れ込みと、前記顔被覆部の周の各両耳近傍に設けられた突出部と、当該突出部に設けられた第１耳部開口と、を有する第１耳かけ部と、を有し、前記顎被覆部は、長手方向の両端近傍に、第２耳部開口を有する第２耳かけ部、を有し、前記第２耳かけ部は、前記顔被覆部の顎部と前記顎被覆部との接続位置より下方向に位置することを特徴とするシート状の顔用マスクである。
【考案の効果】
【０００７】
本考案の技術によれば、顎全体への被覆をフィットさせることが可能な顔用マスクを提供することができる。上記以外の課題、構成および効果等は、以下の実施形態の説明により明らかにされる。
【図面の簡単な説明】
【０００８】
【図１】本実施形態の顔用マスクの平面図である。
【図２】本実施形態の顔用マスクを使用者の顔に装着したときの模式図である。
【考案を実施するための形態】
【０００９】
以下、本考案の一実施形態を、図面を参照して詳細に説明する。
図１は、本実施形態の顔用マスク１の平面図である。顔用マスク１は、シート状素材により形成される。顔用マスク１の材料は、特に限定しないが、例えば、植物繊維、動物繊維、化学繊維等を素材とする不織布、織布、編布等の布や、樹脂シート等でもよい。ただし、液体、特に、保湿やその他の効果を期待できる成分を含む化粧液を含浸させることが可能な素材及び/又は組成であるもののほうが好ましい。
【００１０】
顔用マスク１は、顔被覆部１０と、顎被覆部２０とを有する。顔被覆部１０と顎被覆部２０とは、顎近傍で接続されるように一体に形成される。
【００１１】
顔被覆部１０は、眼部切れ込み１１、鼻部切れ込み１２、口部開口１３、楔状切れ込み１４、第１耳かけ部１５等を含む。
【００１２】
眼部切れ込み１１は、顔用マスク１を使用者の顔に装着したときに眼部に位置するように設けられる。眼部切れ込み１１は、略弓状切れ込み１１ａと、第１横切れ込み１１ｂとからなる。略弓状切れ込み１１ａは、凸が下向き、即ち、顎方向となるように設けられる。第１横切れ込み１１ｂは、略弓状切れ込み１１ａの両端のうち耳に近いほうに設けられ、耳の方向から略弓状切れ込み１１ａに通じる。
【００１３】
鼻部切れ込み１２は、顔用マスク１を使用者の顔に装着したときに鼻部に位置するように設けられる。鼻部切れ込み１２は、第２横切れ込み１２ａと、縦切れ込み１２ｂとからなる。第２横切れ込み１２ａは、両鼻孔部を通るように設けられる。ここで、第２横切れ込み１２ａは、上方向に凸となるような緩やかな弧状であってもよい。縦切れ込み１２ｂは、第２横切れ込み１２ａの両端、鼻翼近傍に位置するように設けられ、上方向、即ち額方向から第２横切れ込み１２ａに通じる。
【００１４】
口部開口１３は、顔用マスク１を使用者の顔に装着したときに口部に位置するように設けられる。口部開口１３は、略楕円の開口であり、その長軸が使用者の唇に対し略平行である。
【００１５】
楔状切れ込み１４は、顔用マスク１を使用者の顔に装着したときに、額上部の左右側と、下顎の左右側との各々に位置するように設けられる。楔状切れ込み１４は略楔状の切れ込みであり、顔被覆部１０の周に、その尖端が顔被覆部１０の中方向に向くように設けられる。
【００１６】
第１耳かけ部１５は、顔用マスク１を使用者の顔に装着したときに両耳部に位置するように設けられる。第１耳かけ部１５は、突出部１５ａと、第１耳部開口１５ｂとからなる。突出部１５ａは、顔被覆部１０の周の両耳近傍の各々に、耳側に突出するように設けられる。第１耳部開口１５ｂは略楕円の開口であり、突出部１５ａ内に設けられる。
【００１７】
顎被覆部２０は略帯状であり、その両端に第２耳かけ部２１を有する。第２耳かけ部２１は、略雫形状の開口である第２耳部開口２１ａを有する。
【００１８】
第２耳かけ部２１は、顔被覆部１０と顎被覆部２０との接続位置（図１の位置Ａ参照）より下方向に位置するよう設けられる。換言すれば、顎被覆部２０の長手方向の辺は、顔用マスク１０の中心線Ｃに対し略垂直な線に対し下方向に斜めとなるように形成される。
【００１９】
上記のような構成により、顎全体への被覆をよりフィットさせることが可能となる。また、第２耳かけ部２１は、顔被覆部１０と顎被覆部２０との接続位置より下方向に位置するので、第２耳かけ部２１を耳にかけたときに、下顎の、特に喉に近いほうをより強く持ち上げることが可能となるため、顎の引き上げ効果が期待できる。
【００２０】
図２は、本実施形態の顔用マスク１を使用者の顔に装着したときの模式図である。図に示すように、１つの耳に、第１耳かけ部１５と第２耳かけ部２１との両方を係止して装着する。なお、図２では、第１耳かけ部１５を先に係止し、第２耳かけ部２１を後に係止する例を示しているが、どちらを先に係止するかは任意であり、図示するものに限定しない。
【００２１】
眼部切れ込み１１は、略弓状切れ込み１１ａを有するので、図示するように、使用者の瞼を略弓状切れ込み１１ａで覆うように装着することが可能となる。これにより、使用者の瞼にも、化粧液を含む顔用マスク１を接触させることが可能となる。また、眼部切れ込み１１は、第１横切れ込み１１ｂを有するので、利用者毎に微妙な凹凸の差異がある眼もと近傍であっても、顔用マスク１をフィットさせることが可能となる。
【００２２】
鼻部切れ込み１２は縦切れ込み１２ｂを有するので、利用者毎に微妙な凹凸の差異がある鼻近傍であっても、顔用マスク１をよりフィットさせることが可能となる。
【００２３】
また、顔被覆部１０の周には楔状切れ込み１４が設けられているので、顔用マスク１をよりフィットさせることが可能となる。
【００２４】
以上、本考案者によってなされた考案を実施の形態に基づき具体的に説明したが、本考案は前記実施の形態に限定されるものではなく、その要旨を逸脱しない範囲で種々変更可能であることはいうまでもない。例えば、上記の実施例は本考案を分かりやすく説明するために詳細に説明したものであり、必ずしも説明した全ての構成を備えるものに限定されるものではない。
【符号の説明】
【００２５】
１：顔用マスク、１０：顔被覆部、２０：顎被覆部、１１：眼部切れ込み、１２：鼻部切れ込み、１３：口部開口、１４：楔状切れ込み、１５：第１耳かけ部、２１：第２耳かけ部
【図１】
0003188310.tif 000003
【図２】
0003188310.tif 000004